(57)【要約】      （修正有）【課題】撮影条件の記録、管理、再利用を容易にする。【解決手段】撮像装置は、撮像手段と、静止画像と撮影条件ファイルとを別ファイルで関連付けて着脱可能な記憶媒体に記憶させる制御手段と、撮影時に使われる前記複数種類の撮影条件の設定値群を格納する、撮像装置本体内の撮影条件格納手段と、前記記憶媒体から読み出されて表示装置に表示されている前記静止画像を選択して、撮影条件の登録を指示する指示手段と、前記指示手段で選択された前記静止画像に関連付けられている前記撮影条件ファイルを前記記憶媒体から読み出し、前記撮影条件格納手段にコピーして登録する登録手段と、前記撮影条件格納手段に格納されている前記撮影条件ファイルに関する情報を表示装置に表示させる表示制御手段と、撮影に用いる所望の撮影条件ファイルを選択する選択手段と、前記選択手段により選択された前記撮影条件ファイルを撮影のために設定する設定手段とを有する。【選択図】図１
2010283857.tif 000002
【特許請求の範囲】
【請求項１】
撮像手段と、
前記撮像手段により得られた静止画像と、前記静止画像を撮影した時の、複数種類の撮影条件の設定値群である撮影条件ファイルとを別ファイルで関連付けて着脱可能な記憶媒体に記憶させる制御手段と、
撮影時に使われる前記複数種類の撮影条件の設定値群を格納する、撮像装置本体内の撮影条件格納手段と、
前記記憶媒体から読み出されて表示装置に表示されている前記静止画像を選択して、撮影条件の登録を指示する指示手段と、
前記指示手段で選択された前記静止画像に関連付けられている前記撮影条件ファイルを前記記憶媒体から読み出し、前記撮影条件格納手段にコピーして登録する登録手段と、
前記撮影条件格納手段に格納されている前記撮影条件ファイルに関する情報を表示装置に表示させる表示制御手段と、
前記表示装置に表示されている前記撮影条件ファイルに関する情報のうちから、撮影に用いる所望の撮影条件ファイルを選択する選択手段と、
前記選択手段により選択された前記撮影条件ファイルを撮影のために設定する設定手段とを有することを特徴とする撮像装置。
【請求項２】
前記表示制御手段は、前記撮影条件ファイルに関連付けて記憶される識別情報を前記表示装置に表示させることを特徴とする請求項１に記載の撮像装置。
【請求項３】
前記表示制御手段は、前記撮影条件ファイルに関連付けて記憶される画像と共に、前記撮影条件ファイルに関する情報を前記表示装置に表示させることを特徴とする請求項１または２に記載の撮像装置。
【請求項４】
前記撮影条件ファイルと前記静止画像のファイルとは、ファイル名により対応付けされて記憶されることを特徴とする請求項１ないし３のいずれか１項に記載の撮像装置。
【請求項５】
撮像手段と、
前記撮像手段により得られた静止画像と、前記静止画像を撮影した時の、複数種類の撮影条件の設定値群である撮影条件ファイルとを別ファイルで関連付けて着脱可能な記憶媒体に記憶させる制御手段と、
撮影時に使われる前記複数種類の撮影条件の設定値群を格納する、撮像装置本体内の撮影条件格納手段とを有する撮像装置の制御方法であって、
前記記憶媒体から読み出されて表示装置に表示されている前記静止画像を選択して、撮影条件の登録を指示する指示工程と、
前記指示工程で選択された前記静止画像に関連付けられている前記撮影条件ファイルを前記記憶媒体から読み出し、前記撮影条件格納手段にコピーして登録する登録工程と、
前記撮影条件格納手段に格納されている前記撮影条件ファイルに関する情報を表示装置に表示させる表示制御工程と、
前記表示装置に表示されている前記撮影条件ファイルに関する情報のうちから、撮影に用いる所望の撮影条件ファイルを選択する選択工程と、
前記選択工程により選択された前記撮影条件ファイルを撮影のために設定する設定工程とを有することを特徴とする制御方法。
【請求項６】
前記表示制御工程では、前記撮影条件ファイルに関連付けて記憶される識別情報を前記表示装置に表示させることを特徴とする請求項５に記載の制御方法。
【請求項７】
前記表示制御工程では、前記撮影条件ファイルに関連付けて記憶される画像と共に、前記撮影条件ファイルに関する情報を前記表示装置に表示させることを特徴とする請求項５または６に記載の制御方法。
【請求項８】
前記撮影条件ファイルと前記静止画像のファイルとは、ファイル名により対応付けされて記憶されることを特徴とする請求項５ないし７のいずれか１項に記載の制御方法。
【請求項９】
コンピュータを、
請求項１乃至４のいずれか１項に記載の撮像装置の各手段として機能させるプログラム。
【請求項１０】
請求項９に記載のプログラムを記憶したコンピュータにより読み取り可能な記憶媒体。
【発明の詳細な説明】
【技術分野】
【０００１】
本発明は、動画や静止画を撮影するための撮影条件を設定する技術に関するものである。
【背景技術】
【０００２】
動画や静止画を撮影可能なデジタルビデオカメラやデジタルスチルカメラ（以下、デジタルカメラ）等の撮像装置は様々な撮影条件を設定できる。撮影条件としては、例えば、ズーム、シャッタ速度、絞り、フォーカスや、撮像素子から出力される信号のゲイン調整、被写体の白色が正しく再現できるように色の配合バランスを調整するホワイトバランスなどがある。このような撮影条件として設定できる項目はデジタル画像処理技術の向上により増加する傾向にあり、カラーゲイン、色相、シャープネス、ガンマ等の様々なパラメータの設定が可能なデジタルカメラが開発されている。
【０００３】
ここで、これらの項目について個々にパラメータを設定するのでは操作が煩雑になり、過去に一度設定した値に戻す際にも、個々のパラメータを覚えておくことは実用的でない。このため、複数の項目に関する個々のパラメータの組み合わせを撮影条件のセットとして記憶させておき、その撮影条件のセットを撮影時に読み出すことで簡単に設定する技術が提案されている。
【０００４】
例えば、特許文献１では、画像データを記録する際に撮影条件と関連付けして登録したテーブルを作成し、ユーザによる撮影条件の選択時にその撮影条件に対応する画像を表示することで、撮影条件の選択を容易化する技術が提案されている。
【０００５】
また、デジタルカメラにより作成、記録される画像データは、Ｅｘｉｆフォーマットのように、ヘッダ部に撮影画像の撮影条件の一部が記録されているものが一般的である。
【０００６】
上述したように、デジタルビデオカメラは動画の色合い、色調などをオートで最適な値に設定する機能を持つ。また、撮影シーン別の設定モードを持つ機種もあり、モードごとにシーンに合った適切な色合い、色調をオートで設定することができる。この機能によってビデオカメラの操作に不慣れな初心者でも手軽に撮影を楽しむことができる。
【０００７】
一方、プロやハイアマチュアのユーザからは微妙な意図を反映するためにオートではなくマニュアルで動画撮影用のパラメータを変更できる機能が望まれる。そのため中・高級機種には動画撮影用のパラメータを変更できる機種がある。動画撮影用のパラメータ設定項目として色相、シャープネス、カラーゲイン、ホワイトバランスなどが挙げられるが、これら複数のパラメータの組み合わせを記憶・保存しておくと、次回同じ設定を利用する際に各パラメータを再設定する手間を省くことができる。しかしながら、この動画撮影用のパラメータは数値で表されていることが多いため、これを再利用する場合には、ユーザがパラメータ設定画面で個々のパラメータの設定値を確認する必要があり、作業が煩雑になってしまうという問題がある。このため、パラメータの設定内容をユーザがイメージしやすいような工夫が望まれる。例えば、特許文献２では静止画を撮影した時の撮影条件を、その静止画を選択することで再設定可能にしている。
【先行技術文献】
【特許文献】
【０００８】
【特許文献１】特開平１０−１７８５８４号公報
【特許文献２】特開２００２−１５２５６７公報
【発明の概要】
【発明が解決しようとする課題】
【０００９】
しかしながら、上記特許文献１において、撮影条件のセットの選択肢を多くすると、撮影条件のセットを動画撮影時に再利用する際に撮影条件の選択自体が難しくなる。このため、たとえ撮影条件を画像データと関連付けすることで選択を容易にしたとしても、それほど選択肢の種類を多くできない。また、テーブルに登録された撮影条件がいっぱいになった場合に、更に撮影条件を登録したい場合はいずれかの撮影条件を削除し、空いた場所に上書きする必要がある。このため、撮影時に一時的に登録したい場合や、様々な条件を試した後に、選別するような使い方では不都合が生じる。
【００１０】
また、Ｅｘｉｆフォーマットのように画像データのヘッダ部にその撮影条件を記録する方法では、画像データと撮影条件とを分離して管理することができない。このため、画像データ自体を公開したい場合は、専用のツールを用いて変換等する必要があるうえ、撮影条件自体をまとめて管理する方法は用意されていない。
【００１１】
本発明は、上記課題に鑑みてなされたものであり、撮影条件の記録、管理、再利用を容易にする技術の実現を目的とする。
【００１２】
更に、静止画撮影とは異なり動画撮影のように記録時間が長い場合、撮影中にパラメータの設定を変更することがある。この場合、予め設定されているパラメータを読み出して変更する方法が考えられる。しかしながら、上記特許文献２のように画像を選択することでパラメータを設定変更する方法では静止画撮影に対する利便性はあるものの、動画撮影中においては操作が煩雑になる。すなわち、画像表示部にパラメータ設定用の画像が表示されたりメニュー画面が表示されると撮影中の動画が見えなくなり、かえって操作が煩雑になってしまう。
【００１３】
本発明は、上記課題に鑑みてなされたものであり、動画撮影用のパラメータを設定する際、関連付けされた静止画を選択して設定したいパラメータを容易に選択できる技術の実現を目的とする。
【課題を解決するための手段】
【００１４】
上記課題を解決し、目的を達成するために、本発明の撮像装置は、撮像手段と、前記撮像手段により得られた静止画像と、前記静止画像を撮影した時の、複数種類の撮影条件の設定値群である撮影条件ファイルとを別ファイルで関連付けて着脱可能な記憶媒体に記憶させる制御手段と、撮影時に使われる前記複数種類の撮影条件の設定値群を格納する、撮像装置本体内の撮影条件格納手段と、前記記憶媒体から読み出されて表示装置に表示されている前記静止画像を選択して、撮影条件の登録を指示する指示手段と、前記指示手段で選択された前記静止画像に関連付けられている前記撮影条件ファイルを前記記憶媒体から読み出し、前記撮影条件格納手段にコピーして登録する登録手段と、前記撮影条件格納手段に格納されている前記撮影条件ファイルに関する情報を表示装置に表示させる表示制御手段と、前記表示装置に表示されている前記撮影条件ファイルに関する情報のうちから、撮影に用いる所望の撮影条件ファイルを選択する選択手段と、前記選択手段により選択された前記撮影条件ファイルを撮影のために設定する設定手段とを有する。
【発明の効果】
【００１５】
本発明によれば、画像データに関連付けして記録された撮影条件の取り扱いの自由度を高め、容易な操作で撮影条件を管理、再利用することができる。
【００１６】
また、撮影条件を選択する際、関連付けされた画像データを選択することで設定したい撮影条件を容易に選択できる。更に、撮影条件ファイルのデータを一旦記憶手段に保持することにより、撮影条件ファイルのファイル名のみを表示させることによって動画撮影中であっても撮影条件が変更可能となる。
【図面の簡単な説明】
【００１７】
【図１】本発明に係る実施形態の撮像装置の構成を示すブロック図である。
【図２】画像データ及び撮影条件を記録する際の動作を示すフローチャートである。
【図３】図２におけるファイル名決定ルールを例示する図である。
【図４】本実施形態の撮影条件ファイルを例示する図である。
【図５】画像撮影時に記録した撮影条件ファイルを、別の撮影の際に撮影条件を選ぶ選択肢として登録するためのユーザインタフェース画面を例示する図である。
【図６】撮影条件を選択する際の動作を示すフローチャートである。
【図７】本発明に係る第２の実施形態による画像データ及び撮影条件を記録する際の動作を示すフローチャートである。
【図８】図７のＳ４０４において撮影条件と関連付けした画像ファイル名を決定するためのルールを例示する図である。
【図９】本発明に係る第３の実施形態による画像データ及び撮影条件を記録する際の動作を示すフローチャートである。
【図１０】本発明に係る第４の実施形態として撮影条件ファイルに対する画像ファイルの選択方法を例示する図である。
【図１１】本発明に係る第５の実施形態の撮像装置を実現するための構成を示すブロック図である。
【図１２】本発明に係る第５の実施形態における動画撮影用のパラメータを選択、設定する際のデータの流れを説明する図である。
【図１３】本発明に係る第６の実施形態における動画撮影用のパラメータを選択、設定する際のデータの流れを説明する図である。
【図１４】本発明に係る第７の実施形態における動画撮影用のパラメータを選択、設定する際のデータの流れを説明する図である。
【図１５】本発明に係る第８の実施形態における動画撮影用のパラメータを選択、設定する際のデータの流れを説明する図である。
【図１６】パラメータ設定ファイルを記憶媒体からカメラ側のメモリにコピーするときの動作を示すフローチャートである。
【図１７】動画撮影中にパラメータデータを読み出し動画撮影用のパラメータに設定する動作を示すフローチャートである。
【図１８】パラメータ設定ファイルを記憶媒体からカメラ側のメモリにコピーするときのユーザインタフェース画面を例示する図である。
【図１９】動画撮影中にパラメータデータを読み出し動画撮影用のパラメータに設定するユーザインタフェース画面を例示する図である。
【発明を実施するための形態】
【００１８】
以下に、添付図面を参照して本発明を実施するための形態について詳細に説明する。
【００１９】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００２０】
［第１の実施形態］
図１は本発明に係る実施形態の撮像装置の構成を示すブロック図である。
【００２１】
図１において、１はレンズユニットであり、撮影レンズ、絞り、及びそれらを駆動するモータ等で構成される。２はレンズユニット１に入射される被写体の光学像を撮像面上に結像し電気信号に変換するＣＣＤ等の撮像素子である。３は撮像素子２により得られた電気信号をＡ／Ｄ変換したデータに対して所定の画素補間処理や色変換処理を行いデジタル画像データを生成する画像処理部である。また、画像処理部３は、撮像した画像データを用いて所定の演算処理を行い、得られた演算結果に基づいてＴＴＬ方式のＡＷＢ（オートホワイトバランス）処理も行っている。また、画像データはデータバスを通して画像表示部４に表示され、撮影画像として確認可能となる。
【００２２】
１４はレンズユニット１を制御するレンズ制御部である。１２は装置全体を制御するＣＰＵ，ＲＯＭ，ＲＡＭ等からなるマイクロコンピュータ（以下、マイコン）である。１３はマイコン１２に対してユーザ操作によるコマンドを入力するためのユーザ入力部であり、ユーザが撮像装置を操作するための操作キー等を備える。
【００２３】
ユーザ入力部１３は、表示画面上のメニューの選択やカーソルの移動に使用する十字キー１３ａ、メニュー画面に移行するときに用いるメニューキー１３ｂを有する。また、ユーザ入力部１３は、メニューの選択や決定に用いるセットキー１３ｃ、カメラのパラメータ設定メニューを呼び出すときに使用するプリセットキー１３ｄを有する。
【００２４】
１０はメモリであり、ユーザの設定した撮影条件（パラメータ）を保持する。８は記憶媒体である。５は画像データの記憶媒体８への書込みや読み出しを制御する読み書き制御部であり、記録媒体８との通信プロトコルを制御し、マイコン１２による制御下で記憶媒体８にアクセスしデータの読み書きを行う。１５は記憶媒体８に記録された画像データを再生する再生回路である。４はＬＣＤ等の画像表示部である。１６はＯＳＤ(On Screen Display)回路であり、マイコン１２による制御下で画像表示部４に対して文字又は絵を用いたメニュー等を表示する。
【００２５】
画像表示部４はユーザ入力部１３と共にユーザインタフェースを提供する。ユーザはユーザ入力部１３を操作し、画像表示部４に表示されるメニューに従って撮影条件を設定することができる。
【００２６】
設定された撮影条件は、レンズ制御部１４を介してレンズユニット１を所望の状態に制御する制御用パラメータや画像処理部３における信号処理用パラメータとされてメモリ１０に保持され、更には記憶媒体８にも保存できる。反対に、記憶媒体８からパラメータを読み出し、画像処理部３やレンズ制御部１４に供することもできる。
【００２７】
また、画像の撮影時においては、撮像素子２により取り込まれた電気信号が画像処理部３にて記憶媒体８での記録形式に適した画像データに変換され、記憶媒体８に保存される。記憶媒体８に保存された画像データは、再生回路１５を介して画像表示部４に表示される。
【００２８】
図２は、記憶媒体８に画像データ及び撮影条件を記録する際の動作を示すフローチャートである。
【００２９】
図２において、撮影画像（例えば、静止画）に対して、ユーザ入力部１３で所定の操作を行うと、マイコン１２が当該操作に従い、例えば図３で後述する特定のルールに従い、既に記録された画像ファイルと区別できる画像ファイル名を決定する（Ｓ２０１）。
【００３０】
次に、マイコン１２は、画像ファイルを記録する（Ｓ２０２）。その後、画像ファイル名の文字列のうち他のファイルと区別するための文字列を用いて撮影時の撮影条件に関するファイル名を決定する（Ｓ２０３）。そして、Ｓ２０３で決定したファイル名を用いて、画像ファイルに関連付けした撮影条件ファイルを生成し記録する（Ｓ２０４）。
【００３１】
なお、Ｓ２０２〜Ｓ２０４はこの順番に限るものではなく、Ｓ２０２がＳ２０３とＳ２０４の間にある場合や、Ｓ２０２がＳ２０４の後にある場合でも可能である。
【００３２】
また、図２のフローの開始条件としては、ユーザ入力部１３により撮影画像の記録や撮影画像と撮影条件とを関連付けして記録する指示を行った場合以外に、動画撮影開始指示時や動画撮影開始と同時或いは動画撮影開始時の前後であってもよい。また、撮影条件を確定した際に図２のフローを開始してその時点の撮影画像データと撮影条件との組み合わせを記録することも可能である。
【００３３】
図３は図２のＳ２０１において画像ファイル名決定に用いられるルールと、Ｓ２０３の撮影条件ファイル名決定に用いられるルールとを例示している。
【００３４】
図３において、ファイル名３０１は既に記憶媒体８に記録されているファイル名であり、文字列３０２は各画像を特定するための通し番号である。画像の撮影に先立ち、予め記憶媒体８に記録されているファイルの通し番号の最大のものを検索しておくことで、文字列３０２を識別することができる。
【００３５】
図２のＳ２０１においては、文字列３０２が表現している数値に１を加えた数値を文字列化した文字列３０４をファイル名３０３として決定する。更に、図２におけるＳ２０３においても文字列３０４をファイル名３０５として決定する。図示の３０５の例では、一般にファイル名の拡張子と呼ばれる部分を、静止画を示す「ＪＰＧ」から、ユーザが独自に前もって設定する撮影条件ファイルを意味するものとしてCustom Preset Fileの頭文字をとった「ＣＰＦ」としている。
【００３６】
ここで、画像ファイルを区別する文字列３０２を図１のメモリ１０に保持しておくことで、記憶媒体の交換時にも通し番号を管理できる。また、一般的なＤＣＦ等のファイルシステムの場合、ファイルをまとめておくディレクトリの概念があり、各ディレクトリで一意に決まるファイル名であればよく、ディレクトリが異なる場合はファイル名自身は同じものがあっても区別できる。
【００３７】
また、ファイル名３０３の文字列のうち文字列３０４以外の文字に関しては、画像ファイルであることを示す文字列であればよく、固定の文字列でなくても良い。
【００３８】
また、ファイル名３０５の文字列のうち文字列３０４以外の文字に関しては、撮影条件ファイルであることを示す文字列であればよく、固定の文字列でなくても良い。
【００３９】
図４は本実施形態の撮影条件ファイルを例示している。
【００４０】
撮影条件ファイルには、ファイル名、ガンマ、シャープネス等のパラメータがASCII文字列を用いて記述されている。ここではテキストファイルを例にしているが、撮像装置でその内容を読み書きできるよう予め定めたルールに従ったフォーマットであればよい。例えば、各項目の値を羅列したバイナリデータであっても同様の内容を意味するものであれば機能を果たすことができる。
【００４１】
図５は、画像撮影時に記録した撮影条件ファイルを、別の撮影の際に撮影条件を選ぶ選択肢として登録するためのユーザインタフェース画面を例示している。
【００４２】
撮影画像を再生する際に、図３に示したルールで画像ファイルと関連付けされた撮影条件ファイルがある場合、ユーザ入力部１３を介してユーザにより「登録」が指示されると画像表示部４に図５に示す画面が表示される。図中、９０１は撮影条件の内容を表示したものである、背景には撮影画像を表示したままでも良く、撮影条件の各種パラメータにより、どのような画像が撮影できたかも視覚的に確認できる。
【００４３】
十字キー１３ａを操作することで、数値表示部９０２の数値を上下動作させ登録する番号を選択する。ここで選択する番号は、撮影時に選択する選択肢の番号となり、例えば０１から２０まで選択可能として、撮影時の選択肢の数を制限することもできる。
【００４４】
また、登録した撮影条件は、カムコーダに内蔵のメモリに記録することもでき、また、例えばＰＲＥＳＥＴ０１．ＣＰＦのような選択した番号を文字列として含むファイル名でファイルとして保存することも可能である。
【００４５】
図６は、撮影条件を選択する際の動作を示すフローチャートである。
【００４６】
図６において、撮影条件選択を開始すると、Ｓ１００１において数値パラメータｎｎを０１に設定し、ＰＲＥＳＥＴ０１．ＣＰＦが存在するか確認する（Ｓ１００２）。存在しない場合は数値パラメータを１加算し（Ｓ１００３）、次のＰＲＥＳＥＴ０２．ＣＰＦが存在するか確認する（Ｓ１００２）。Ｓ１００２とＳ１００３を繰り返し、ファイルが存在した場合はそのパラメータで撮影条件を設定する（Ｓ１００４）。また、ユーザから次の撮影条件を選択する指示を受けた場合は（Ｓ１００５）、Ｓ１００３に戻り、数値パラメータを１加算して、次の撮影条件ファイルの存在を確認する。
【００４７】
上記実施形態によれば、撮影条件の各種パラメータを設定し、所望の画像が得られる撮影条件を画像データに関連付けして保存しておき、更に別の撮影時に選択可能な撮影条件として登録することで、撮影時に容易に撮影条件の再設定ができるようになる。
【００４８】
［第２の実施形態］
図７は、本発明に係る第２の実施形態による画像データ及び撮影条件を記録する際の動作を示すフローチャートである。なお、本実施形態は図１と同様に構成された撮像装置を用いて実現される。
【００４９】
図７において、撮影準備の際に、既に記録されている撮影条件ファイルを選択する（Ｓ４０１）。Ｓ４０１にて選択した撮影条件ファイルのデータにより撮像装置の撮影条件を設定する（Ｓ４０２）。その後、ユーザが画像撮影の指示を行い画像（ここでは、静止画）を撮影する（Ｓ４０３）。Ｓ４０１にて選択した撮影条件ファイルのファイル名の文字列のうち他のファイルと区別できる文字列を用いて撮影画像のファイル名を決定し（Ｓ４０４）、Ｓ４０４にて決定したファイル名を用いて画像を記録する（Ｓ２０２）。
【００５０】
図７において、Ｓ４０３に替えて動画撮影開始指示によりＳ４０４に移行してもよい。また、撮影条件の変更後初めての動画撮影開始という条件でＳ４０４に移行してもよい。
【００５１】
図８は図７のＳ４０４において撮影条件と関連付けした画像ファイル名を決定するためのルールを例示している。
【００５２】
ファイル名５０１はＳ４０１において選択した撮影条件ファイルのファイル名である。文字列５０２は他の撮影条件ファイルと区別するための文字列であり、ここでは異なる数値を表現する文字列を与えることで区別している。図７のＳ４０４においては、文字列５０２を用いてファイル名５０３を決定することができる。
【００５３】
ここで、ファイル名５０３の文字列のうち、文字列５０２以外の文字に関しては、画像ファイルであることを示す文字列であれば良く、固定の文字列でなくても良い。従って、文字列５０２以外の部分の文字を変化させることで、１つの撮影条件に対し、複数の画像を関連付けて記録することも可能である。
【００５４】
［第３の実施形態］
図９は本発明に係る第３の実施形態による画像データ及び撮影条件を記録する際の動作を示すフローチャートである。なお、本実施形態も図１と同様に構成された撮像装置を用いて実現される。
【００５５】
第３の実施形態は、ユーザが画像データと撮影条件とを関連付けて記録する方法を選択できるようにしたものである。よって、図９において、第１及び第２の実施形態と同様の処理には同一の符号を付して説明を省略し、相違点となる部分についてのみ説明する。
【００５６】
図９において、撮影準備の開始時点で画像データと撮影条件とを関連付ける方法として、画像ファイルを主体とする方法と、撮影条件ファイルを主体とする方法とがある。前者は、画像ファイルを主体として撮影条件ファイルのファイル名を決定する方法（図２）である。後者は、選択した撮影条件ファイルを主体として画像ファイルのファイル名を決定する方法（図７）である。Ｓ６０１では上記いずれかの方法を選択する。
【００５７】
Ｓ４０３において画像記録の指示がなされると、Ｓ６０２において画像ファイル主体で記録する方法と撮影条件ファイル主体で記録する方法のどちらを選んでいるか判する。Ｓ６０２で、画像ファイル主体で記録する方法を選んでいた場合はＳ２０１に遷移し、撮影条件ファイル主体で記録する方法を選択していた場合はＳ４０４に遷移し、それぞれのルールに従ってファイル名を決定し画像データ及び撮影条件を記録する。
【００５８】
［第４の実施形態］
図１０は、本発明に係る第４の実施形態として撮影条件ファイルに対する画像ファイルの選択方法を例示している。
【００５９】
５０１は図７のＳ４０１において選択した撮影条件ファイルである。７０１は画像ファイル主体で撮影条件ファイル名を決定する図２の方法で記録された撮影条件ファイルのうち、撮影条件ファイル５０１と同一内容のファイルを抽出した撮影条件ファイル群である。７０２は撮影条件ファイル群７０１のそれぞれの撮影条件ファイルに関連付けられた画像ファイル群である。
【００６０】
ユーザが画像ファイル群７０２の中から、例えば画像ファイル７０３を選択し、この画像ファイルのファイル名を撮影条件ファイル５０１のファイル名を用いた名称に変更することもできる。これにより、撮影条件ファイル主体で画像ファイルのファイル名を決定する図７の方法に移行することができる。
【００６１】
この方法により、撮影条件に対応する画像ファイルをほぼ無制限に記録しておき、撮影時に選択する撮影条件ファイルに対応する画像ファイルをその中から選択することができるため、ユーザが撮影条件を思い出す際により適切な画像を提示することができる。
【００６２】
以下の各実施形態は、上記第１乃至第４の実施形態において作成された撮影条件ファイルを動画撮影に再利用する際に、関連付けされた静止画データを選択することで撮影条件を容易に選択できるようにしたところに特徴がある。また、撮影条件ファイルのデータを一旦メモリに保持することにより動画撮影中であっても撮影条件を変更できるようにしたところに特徴がある。
【００６３】
［第５の実施形態］
図１１は、本発明に係る第５の実施形態の撮像装置を実現するための構成を示すブロック図である。
【００６４】
第５の実施形態の撮像装置は、記憶媒体８としてのメモリカードに加えて、記憶媒体９としての磁気テープを装着可能とし、更に、揮発性のメモリ１０と不揮発性のメモリ１１が設けられている。記憶媒体９へのデータの書込みや読み出しはテープ制御部６で制御されるテープ駆動部７を介して行われる。
【００６５】
また、揮発性メモリ１０には動画撮影用のパラメータ設定ファイルのデータ（以下、パラメータデータ）が記憶されるパラメータ保持部１０ａがある。また、不揮発メモリ１１にはパラメータデータが記憶される設定リスト記憶部１１ａがある。これらに保持されるデータの詳細に関しては後述する。その他の構成は、図１と同様であるので説明を省略する。
【００６６】
次に、図１２を参照して動画撮影時のパラメータを選択、設定する際のデータの流れについて説明する。
【００６７】
本実施形態は、カメラが記憶媒体８のデータを読み出し可能な状態において、パラメータ選択画面を介してパラメータ設定ファイルに関連付けされた画像を再生することができる。なお、以下の各実施形態では、撮影条件ファイルをパラメータ設定ファイルと呼び、ファイル名の拡張子を「ＳＥＴ」としている。また、記憶媒体８にはパラメータ設定ファイルが２０個記憶されている(IMG_0101.SET-IMG_0120.SET)。また、文字列が0101,0102,0119のファイルに画像１(IMG_0101.JPG)，画像２(IMG_0102.JPG)，画像１９(IMG_0119.JPG)が夫々関連付けされているとする。
【００６８】
ユーザがメニューキー１３ｂ及びパラメータ選択画面により画像選択メニューを選択すると、画像１，２，１９が再生される。ここで、画像２“IMG_0102.JPG”を選択すると（Ｓ１２−１）、それに関連付けされたパラメータ設定ファイル“IMG_0102.SET”が自動的に選択される（Ｓ１２−２）。そして、このパラメータデータがカメラ側の不揮発メモリ１１上にある設定リスト記憶部１１ａにコピーされる（Ｓ１２−３）。コピー先の設定リスト記憶部１１ａに６つの領域があるとすると、事前に決めておいた領域のデータをコピーするデータで上書きする。ここでは設定３の領域にデータをコピーしている。
【００６９】
次に、記憶媒体８又は９に動画データを記録している間、或いは記録できる状態において、ユーザが設定リストの設定３を選択すると（Ｓ１２−４）、設定３のパラメータデータが揮発性メモリ１０上のパラメータ保持部１０ａに展開される（Ｓ１２−５）。そして、マイコン１２による動画撮影用のパラメータとして設定される。
【００７０】
次に、図１６のフローチャートと図１８のユーザインタフェース画面を用いてパラメータ設定ファイルを記憶媒体８からカメラ側のメモリ１１の設定リスト記憶部１１ａにコピーするときの動作について説明する。
【００７１】
なお、以下では、設定リスト記憶部１１ａにおける設定３にパラメータ設定ファイル”IMG_0102.SET”を登録する場合について説明する。
【００７２】
図１６及び図１８において、記憶媒体８のデータが読み出し可能な状態において、Ｓ１６０１においてメニューキー１３ｂが押されると、Ｓ１６０２でカメラメニューを表示する（図１８（ａ））。Ｓ１６０３においてカメラメニュー画面で十字キー１３ａの上下動作で「カスタムプリセット」にカーソルを合わせ、カーソルが合った状態でセットキー１３ｃが押されると、Ｓ１６０５でカスタムプリセット設定メニューを表示する（図１８（ｂ））。なお、カメラメニュー画面から他の操作を行うときはＳ１６０４でその処理を実行する。
【００７３】
カスタムプリセット設定メニューにおいて、「選択」にカーソルが合った状態でメニューキー１３ｃが押されると（Ｓ１６０６）、Ｓ１６０７で十字キー１３ａの上下動作で設定番号が選択可能となる（図１８（ｃ））。カスタムプリセット設定メニュー画面において設定３を表示した状態でセットキー１３ｃを押すと、設定３の表示内容が表示される。ここで、カスタムプリセット設定メニュー画面において「書込み」にカーソルが合った状態でメニューキー１３ｃを押すことで、メモリ１１の設定リスト記憶部１１ａにおけるパラメータデータをコピーする領域を決定する（Ｓ１６０８）。
【００７４】
次に、記憶媒体８のパラメータデータを設定リスト３に登録するため、Ｓ１６０９においてカスタムプリセット設定メニュー画面の「読出し」にカーソルを合わせメニューキー１３ｃを押す（図１８（ｄ））。ここで、パラメータ設定ファイルの選択方法はファイル名の選択と画像選択の２通りあるが、Ｓ１６１０において「画像選択」を選択する（図１８（ｅ））。
【００７５】
Ｓ１６１１では画像ファイル選択画面が表示され、記憶媒体８に記録されているパラメータ設定ファイルと関連付けされている静止画が表示される（図１８（ｆ））。静止画は十字キー１３ａの上下動作によって順に再生される。Ｓ１６１２で”IMG_0102.SET”に関連付けされた”IMG_0102.JPG”を再生中にセットキー１３ｃを押すことにより、Ｓ１６０８で決定された書込み領域にパラメータデータがコピーされて登録が完了する（Ｓ１６１３）。このとき、カスタムプリセット設定メニュー画面には設定３に登録された”IMG_0102.SET”のパラメータデータの内容が表示される（図１８（ｇ））。一方、Ｓ１６１０でファイル名が選択されると、Ｓ１６１４でファイル名が表示される。そして、Ｓ１６１５でセットキー１３ｃにより所望のファイルを選択することで、Ｓ１６０８で決定された書込み領域にパラメータデータがコピーされて登録が完了する（Ｓ１６１３）。
【００７６】
なお、Ｓ１６０９で、カスタムプリセット設定メニュー画面から他の操作を行うときはＳ１６１６でその処理を実行する。
【００７７】
次に、図１７のフローチャートと図１９のユーザインタフェース画面を用いて動画撮影中に設定３のパラメータデータを読み出し動画撮影用のパラメータに設定する動作について説明する。
【００７８】
図１７及び図１９において、Ｓ１７０１で動画撮影中にプリセットキー１３ｄが押されると（図１９（ａ））、Ｓ１７０２で現在、カスタムプリセットの設定を使用している状態であれば、Ｓ１７０３において現在の設定番号が表示される（図１９（ｂ））。また、カスタムプリセットの設定を使用していない状態であれば、Ｓ１７０４において、前回使用した設定番号が表示される。Ｓ１７０５で今回使用する設定３を十字キー１３ａの上下動作で選択しセットキー１３ｃで決定すると、Ｓ１７０６でカメラ側のメモリ１０のパラメータ保持部１０ａにパラメータデータが書き込まれる。そして、Ｓ１７０７でマイコン１２による動画撮影用のパラメータの設定が完了する（図１９（ｃ））。
【００７９】
上記実施形態によれば、動画撮影用のパラメータを設定する際、関連付けされた静止画を選択することで設定したいパラメータを容易に選択できる。更に、パラメータデータを一旦メモリに保持することにより、動画撮影中にパラメータの設定リスト名のみを表示させて設定変更ができるようになる。
【００８０】
［第６の実施形態］
次に、本発明に係る第６の実施形態について、図１３を参照して動画撮影用のパラメータを選択、設定する際のデータの流れについて説明する。なお、第６の実施形態は第５の実施形態と同様の構成を有するカメラで実現される。
【００８１】
以下では、上記第５の実施形態と同様に、記憶媒体８にはパラメータ設定ファイルが２０個記憶されている(IMG_0101.SET-IMG_0120.SET)。また、文字列が0101,0102,0119のファイルに画像１(IMG_0101.JPG)，画像２(IMG_0102.JPG)，画像１９(IMG_0119.JPG)が夫々関連付けされているとする。
【００８２】
ユーザがメニューキー１３ｂ及びパラメータ選択画面により画像選択メニューを選択すると、画像１，２，１９が再生される。ここで、画像２“IMG_0102.JPG”を選択すると（Ｓ１３−１）、それに関連付けされたパラメータ設定ファイル“IMG_0102.SET”が自動的に選択される（Ｓ１３−２）。そして、このパラメータデータがカメラ側の不揮発メモリ１１上にある設定リスト記憶部１１ａにコピーされる（Ｓ１３−３）。また、選択された画像２のデータが不揮発メモリ１１上にある静止画保存領域１１ｂにコピーされる（Ｓ１３−４）。ここでコピーされたパラメータデータと画像データとは関連性を保っている。コピー先の設定リスト記憶部１１ａに６つの領域があるとすると、事前に決めておいた領域のデータをコピーするデータで上書きする。ここでは設定３の領域にデータをコピーしている。
【００８３】
次に、記憶媒体８又は９に動画データを記録している間、或いは記録できる状態において、ユーザが設定リストの設定３を選択する（Ｓ１３−５）。すると、設定３のパラメータデータが揮発性メモリ１０上のパラメータ保持部１０ａに展開され（Ｓ１３−６）、マイコン１２による動画撮影用のパラメータとして設定される。
【００８４】
上記実施形態によれば、第５の実施形態の効果に加えて、パラメータ設定ファイル及び関連付けされた画像データを一旦メモリに保持することにより、動画撮影中にパラメータの設定リスト名及び関連付けされた画像を表示して設定変更ができるようになる。
【００８５】
［第７の実施形態］
次に、本発明に係る第７の実施形態について、図１４を参照して動画撮影用のパラメータを選択、設定する際のデータの流れについて説明する。なお、第７の実施形態は第５の実施形態と同様の構成を有するカメラで実現される。
【００８６】
以下では、第５の実施形態と同様に、記憶媒体８にはパラメータ設定ファイルが２０個記憶されている(IMG_0101.SET-IMG_0120.SET)。また、文字列が0101,0102,0119のファイルに画像１(IMG_0101.JPG)，画像２(IMG_0102.JPG)，画像１９(IMG_0119.JPG)が夫々関連付けされているとする。
【００８７】
ユーザがメニューキー１３ｂ及びパラメータ選択画面により画像選択メニューを選択すると、画像１，２，１９が再生される。ここで、画像２“IMG_0102.JPG”を選択すると（Ｓ１４−１）、それに関連付けされたパラメータ設定ファイル“IMG_0102.SET”が自動的に選択される（Ｓ１４−２）。そして、このパラメータ設定ファイルへのリンク情報がカメラ側の不揮発メモリ１１上にある設定リスト記憶部１１ａに登録される（Ｓ１４−３）。登録先の設定リスト記憶部１１ａに６つの領域があるとすると、事前に決めておいた領域のデータをリンク情報で上書きする。ここでは設定３の領域にデータをリンクさせている。
【００８８】
次に、記憶媒体８又は９に動画データを記録している間、或いは記録できる状態において、ユーザが設定リストの設定３を選択する（Ｓ１４−４）。すると、設定３のリンク先のパラメータデータが揮発性メモリ１０上のパラメータ保持部１０ａに展開され（Ｓ１４−５）、マイコン１２による動画撮影用のパラメータとして設定される。
【００８９】
上記実施形態によれば、第５の実施形態の効果に加えて、パラメータ設定ファイルへのリンク情報を一旦メモリに保持することにより、メモリに記憶するデータ量を少なくすることができる。
【００９０】
［第８の実施形態］
次に、本発明に係る第８の実施形態について、図１５を参照して動画撮影用のパラメータを選択、設定する際のデータの流れについて説明する。なお、第８の実施形態は第５の実施形態と同様の構成を有するカメラで実現される。
【００９１】
以下では、第５の実施形態と同様に、記憶媒体８にはパラメータ設定ファイルが２０個記憶されている(IMG_0101.SET-IMG_0120.SET)。また、文字列が0101,0102,0119のファイルに画像１(IMG_0101.JPG)，画像２(IMG_0102.JPG)，画像１９(IMG_0119.JPG)が夫々関連付けされているとする。
【００９２】
ユーザがメニューキー１３ｂ及びパラメータ選択画面により画像選択メニューを選択すると、画像１，２，１９が再生される。ここで、画像２“IMG_0102.JPG”を選択すると（Ｓ１５−１）、それに関連付けされたパラメータ設定ファイル“IMG_0102.SET”が自動的に選択される（Ｓ１５−２）。そして、このパラメータ設定ファイルへのリンク情報がカメラ側の不揮発メモリ１１上にある設定リスト記憶部１１ａに登録される（Ｓ１５−３）。また、選択された画像２とのリンク情報が不揮発メモリ１１上にある静止画保存領域１１ｂに登録される（Ｓ１５−４）。ここで登録されたリンク情報と画像データとは関連性を保っている。登録先の設定リスト記憶部１１ａに６つの領域があるとすると、事前に決めておいた領域のデータをリンク情報で上書きする。ここでは設定３の領域にデータをリンクさせている。
【００９３】
次に、記憶媒体８又は９に撮影画像データを記録している間、或いは記録できる状態において、ユーザが設定リストの設定３を選択する（Ｓ１５−５）。すると、設定３のリンク先のパラメータデータが揮発性メモリ１０上のパラメータ保持部１０ａに展開され（Ｓ１５−６）、マイコン１２による動画撮影用のパラメータとして設定される。
【００９４】
上記実施形態によれば、第５の実施形態の効果に加えて、パラメータ設定ファイル及び関連付けされた画像データへの各リンク情報を一旦メモリに保持することにより、メモリに記憶するデータ量を少なくすることができる。
【００９５】
［他の実施形態］
以上、本発明に係る実施形態について具体例を用いて詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【００９６】
また、本発明の目的は、図示の機能ブロック及び動作において、いずれの部分をハードウェア回路により実現し、或いはコンピュータを用いたソフトウェア処理によって実現しても達成されることは言うまでもない。
【００９７】
尚、本発明は、前述した実施形態の機能を実現するソフトウェアのプログラムを、システムあるいは装置に直接あるいは遠隔から供給することによって達成される場合も含む。その場合、システム等のコンピュータが該プログラムコードを読み出して実行することになる。
【００９８】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００９９】
その場合、プログラムの機能を有していれば、オブジェクトコード、インタプリタにより実行されるプログラム、OSに供給するスクリプトデータ等の形態であっても良い。
【０１００】
プログラムを供給するための記録媒体（記憶媒体）としては、例えば、フレキシブルディスク、ハードディスク、光ディスク、光磁気ディスク等がある。その他にも、MO、CD-ROM、CD-R、CD-RW、磁気テープ、不揮発性のメモリカード、ROM、DVD(DVD-ROM、DVD-R)等がある。
【０１０１】
その他、プログラムの供給方法としては、クライアントコンピュータのブラウザを用いてインターネットのホームページに接続し、該ホームページから本発明のコンピュータプログラムそのものをダウンロードすることもできる。また圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバも、本発明に含まれるものである。
【０１０２】
また、本発明のプログラムを暗号化してCD-ROM等の記憶媒体に格納してユーザに配布し、所定の条件をクリアしたユーザが、インターネットを介してホームページから暗号化を解く鍵情報をダウンロードすることもできる。この場合、ダウンロードした鍵情報を使用することにより暗号化されたプログラムを実行してコンピュータにインストールさせて実現する。
【０１０３】
また、コンピュータが、読み出したプログラムを実行することによって、前述した実施形態の機能が実現される他、そのプログラムの指示に基づき、コンピュータ上で稼動しているOS等が、実際の処理の一部又は全部を行うことによっても実現され得る。
【０１０４】
更に、記録媒体から読み出されたプログラムが、コンピュータに挿入された機能拡張ボードやコンピュータに接続された機能拡張ユニットのメモリに書き込まれた後、該ボード等のCPU等が実際の処理の一部又は全部を行うことによっても実現される。
【図１】
2010283857.tif 000003
【図２】
2010283857.tif 000004
【図３】
2010283857.tif 000005
【図４】
2010283857.tif 000006
【図５】
2010283857.tif 000007
【図６】
2010283857.tif 000008
【図７】
2010283857.tif 000009
【図８】
2010283857.tif 000010
【図９】
2010283857.tif 000011
【図１０】
2010283857.tif 000012
【図１１】
2010283857.tif 000013
【図１２】
2010283857.tif 000014
【図１３】
2010283857.tif 000015
【図１４】
2010283857.tif 000016
【図１５】
2010283857.tif 000017
【図１６】
2010283857.tif 000018
【図１７】
2010283857.tif 000019
【図１８】
2010283857.tif 000020
【図１９】
2010283857.tif 000021